(57)【要約】      （修正有）【課題】  金属フロントからの静電気をシャーシに確実に放電ができ、シャーシに取り付けられた放電プローブに常に放電でき、静電気が基板を破壊したり、機器の誤動作を防ぐ。【解決手段】  金属フロント１はプラスチックフロント２に装着され、金属フロント１とプラスチックフロント２の下側の後端に嵌め入れられる断面コ字形の下部４ａと下部４ａから下向き斜め方向に延設されてシャーシ３に接触される接触部４ｂとで形成された導電部材４が設けられ、導電部材４は接触部４ｂの略中央部分がでシャーシ３にビス止め固定され、接触部４ｂの先端は二股状に分岐されて分岐部４ｄの端部に下向きに鋭角部４ｅが形成され、接触部４ｂの略中央部分がビス止めされた際に鋭角部４ｅがシャーシ３に弾性をもって食い込んで接触され、金属フロント１からの静電気を導電部材４を介してシャーシ３に放電して放電プローブに放電する。【選択図】  図１
2007004943.tif 000002
【特許請求の範囲】
【請求項１】
金属フロントに帯電した静電気をシャーシに放電するようにしたＤＶＤ機器の静電対策構造において、前記金属フロントはプラスチックフロントに装着されており、この金属フロントとプラスチックフロントの下側の後端に嵌め入れられる断面コ字形の下部とこの下部から下向き斜め方向に延設されてシャーシに接触される接触部とで形成された導電部材が設けられ、この導電部材はその接触部の略中央部分がビスで前記シャーシにビス止め固定され、この接触部の先端は二股状に分岐されてそれぞれの分岐部の端部に下向きに鋭角部が形成され、前記接触部の略中央部分がビス止めされた際に前記鋭角部が前記シャーシに弾性をもって食い込んで接触されるように構成され、前記金属フロントからの静電気を前記導電部材を介して前記シャーシに放電し、このシャーシに接続された放電プローブに放電するようにしたことを特徴とするＤＶＤ機器の静電対策構造。
【請求項２】
金属フロントに帯電した静電気をシャーシに放電するようにしたＤＶＤ機器の静電対策構造において、前記金属フロントはプラスチックフロントに装着されており、この金属フロントとプラスチックフロントの下側の後端に嵌め入れられる下部とこの下部から下向き斜め方向に延設されてシャーシに接触される接触部とで形成された導電部材が設けられ、この接触部の略中央部がビスで前記シャーシにビス止め固定され、前記接触部の先端部分が前記シャーシに接触することにより、前記金属フロントからの静電気を前記導電部材を介して前記シャーシに放電し、このシャーシに接続された放電プローブに接続するようにしたことを特徴とするＤＶＤ機器の静電対策構造。
【請求項３】
前記導電部材の接触部の先端は、複数に分岐されてこの分岐部の端部に下向きに鋭角部が形成され、更に、前記接触部のビス止め箇所より前記下部側寄り部分に略菱形状の溝穴が幅方向中央部に形成されている請求項２に記載のＤＶＤ機器の静電対策構造。
【発明の詳細な説明】
【技術分野】
【０００１】
本発明は、金属フロントに帯電した静電気をシャーシに放電するようにしたＤＶＤ機器の静電対策構造に関するものである。
【背景技術】
【０００２】
従来のＤＶＤ機器の静電対策構造は、例えば、図５（ａ）（ｂ）に示すように、爪１０１を有する金属片１０２をプラスチックフロント１０３とこのプラスチックフロント１０３に装着された金属フロント１０４とからなるフロントの後端に嵌め込んで、シャーシ１０５をフロントに装着した時に、金属片１０２の爪１０１がシャーシ１０５に接触することにより、金属フロント１０４からの静電気をシャーシ１０５に放電するようにしていた。
【０００３】
ところが、これにおいては、金属片１０２の爪１０１がシャーシ１０５に接触する状態が甘くなる可能性があり、十分な静電対策効果が得られないという問題があった。
【０００４】
第１の従来技術を図６に示す。この従来の電子機器の静電対策構造は、図６に示すように、筐体を構成する樹脂製パネル２０２の表面に、表層部が導電性を有する導電部材２０５が取り付けられており、樹脂製パネル２０２の背面に向かって突出する複数のリブ２２３が形成されている。そして、筐体内部から伸びるアース用リード線２０６の芯線２６１が樹脂製パネル２０２を貫通しその先端部が樹脂製パネル２０２のリブ２２３と導電部材２０５の間に挟持されているものであった。（例えば、特許文献１参照）。
【０００５】
ところが、これにおいては、複数のリブ２２３でアース用リード線２０６の芯線２６１を導電部材２０２に押し付けているだけであり、ビスで固定されていないので、その接触が甘くなり、十分な静電対策効果が得られないという問題があった。
【０００６】
第２の従来技術を図７、図８に示す。この従来の記録媒体再生装置は、図７、図８に示すように、ディスク装置のフロントパネル３０１の背面に設けられた導電部材３０８の記録媒体通過口３１２に突起部３１３を設けることにより静電気を除去するようにしている。    （例えば、特許文献２参照）。
【０００７】
ところが、これにおいては、導電部材３０８のビス止めの箇所に接触していないので、十分な静電対策効果が得られないという問題があった。
【０００８】
第３の従来技術を図９に示す。この従来のディスクドライブサブシステムは、図９に示すように、樹脂製フロントパネル４１１の裏側にタップ加工を施したねじ穴４１４を有するアングル状金属部材４１３の基部を含むフロントパネル４１１の裏面に導電塗装４１５を施し、アングル状金属部材４１３にグランド線を接続するようにしていた。（例えば、特許文献３参照）。
【０００９】
ところが、これにおいては、導電塗装４１５の波の部分がずれてしまって接触不良が生じる虞があるという問題があった。
【００１０】
第４の従来技術を図１０、図１１に示す。この従来の電気装置のシャーシ及びキャビネットは、図１０、図１１に示すように、合成樹脂材料によって形成された底壁裏面に金属板５０３を取り付けると共に底壁周囲に側壁を突設し上面を開口したシャーシ５０１と、天板の両側片に屈折可能に形成した折曲げ線５５０、５５０を介して左右の側板を連接し、裏面に導電板５５６を配備した平板状のキャビネット５０５と、シャーシ５０１の側壁に取り付けられ、一端をシャーシ底壁を貫通して底壁裏面の金属板に導通し、側面に接片５４０を突設してキャビネット裏面の導電板５５６と接触可能なアース片５０４とから構成したものである。（例えば、特許文献４参照）
ところが、これにおいては、アース片５０４がビス止めされていないので、その接触が甘くなり、十分な静電対策効果が得られないという問題があった。
【特許文献１】特開２００４−３１９０３７号公報
【特許文献２】特開２０００−７６７７１号公報
【特許文献３】特開平５−１８９９４６号公報
【特許文献４】実開平１−８０９８６号公報
【発明の開示】
【発明が解決しようとする課題】
【００１１】
本発明は、上記従来の問題に鑑みてなされたものであって、金属フロントからの静電気をシャーシに確実に放電することができ、このシャーシに取り付けられた放電プローブに常に放電することができ、静電気が基板に飛んでこの基板を破壊したり、機器の誤動作を防ぐことができるＤＶＤ機器の静電対策構造を提供することを目的としている。
【課題を解決するための手段】
【００１２】
本発明は、上記課題を解決するために提案されたものであって、請求項１に記載の発明は、金属フロントに帯電した静電気をシャーシに放電するようにしたＤＶＤ機器の静電対策構造において、前記金属フロントはプラスチックフロントに装着されており、この金属フロントとプラスチックフロントの下側の後端に嵌め入れられる断面コ字形の下部とこの下部から下向き斜め方向に延設されてシャーシに接触される接触部とで形成された導電部材が設けられ、この導電部材はその接触部の略中央部分がビスで前記シャーシにビス止め固定され、この接触部の先端は二股状に分岐されてそれぞれの分岐部の端部に下向きに鋭角部が形成され、前記接触部の略中央部分がビス止めされた際に前記鋭角部が前記シャーシに弾性をもって食い込んで接触されるように構成され、前記金属フロントからの静電気を前記導電部材を介して前記シャーシに放電し、このシャーシに接続された放電プローブに放電するようにしたことを特徴としている。
【００１３】
請求項２に記載の発明は、金属フロントに帯電した静電気をシャーシに放電するようにしたＤＶＤ機器の静電対策構造において、前記金属フロントはプラスチックフロントに装着されており、この金属フロントとプラスチックフロントの下側の後端に嵌め入れられる下部とこの下部から下向き斜め方向に延設されてシャーシに接触される接触部とで形成された導電部材が設けられ、この接触部の略中央部がビスで前記シャーシにビス止め固定され、前記接触部の先端部分が前記シャーシに接触することにより、前記金属フロントからの静電気を前記導電部材を介して前記シャーシに放電し、このシャーシに接続された放電プローブに放電するようにしたことを特徴としている。
【００１４】
請求項３に記載の発明は、請求項２に記載の発明において、前記導電部材の接触部の先端は、複数に分岐されてこの分岐部の端部に下向きに鋭角部が形成され、更に、前記接触部のビス止め箇所より前記下部側寄り部分に略菱形状の溝穴が幅方向中央部に形成されている。
【発明の効果】
【００１５】
請求項１に記載の発明によれば、導電部材の接触部がシャーシにビス止めされているから、導電部材とシャーシとの接触を確実に行うことができ、この導電部材が装着された金属フロントからの静電気をシャーシに効率良く放電することができ、このシャーシに接続された放電プローブより常に放電することができる。また、導電部材の接触部の先端が二股状に分岐されてそれぞれの分岐部が下向きに鋭角を持って形成されているから、これら鋭角部がシャーシに食い込んで接触し、金属フロントからの静電気をシャーシにより一層確実に放電することができる。従って、静電気が基板に飛んでこの基板を破壊したり、機器の誤動作を防ぐことができる。
【００１６】
請求項２に記載の発明によれば、導電部材の接触部がシャーシにビス止めされているから、導電部材とシャーシとの接触を確実に行うことができ、この導電部材が装着された金属フロントからの静電気をシャーシに効率良く放電することができ、このシャーシに接続された放電プローブにより常に放電することができる。従って、静電気が基板に飛んでこの基板を破壊したり、機器の誤動作を防ぐことができる。
【００１７】
請求項３に記載の発明によれば、導電部材の接触部の先端が複数に分岐されてこの分岐部の端部に下向きに鋭角部が形成されているから、これら複数の鋭角部がシャーシに食い込んで導電部材とシャーシの接触が強力なものとなり、導電部材が装着された金属フロントからの静電気をシャーシに確実に放電することができ、このシャーシに取り付けられた放電プローブにより常に放電することができる。更に、導電部材の接触部のビス止め箇所寄り部分に略菱形状の溝穴が幅方向中央部に形成されているので、接触部をシャーシにビス止めする際に、この接触部が曲げ易くビス止め作業が行い易い。
【発明を実施するための最良の形態】
【００１８】
以下、本発明に係るＤＶＤ機器の静電対策構造の実施の形態について、図を参照しつつ説明する。
【００１９】
図１は本発明のＤＶＤ機器の静電対策構造を示し、（ａ）は導電部材をシャーシにビス止めする前の状態を示す部分縦断面図、（ｂ）は導電部材をシャーシにビス止めした状態を示す部分縦断面図、（ｃ）は導電部材を下側から見た状態の斜視図、（ｄ）は（ｃ）の状態の導電部材の正面図である。
【００２０】
この第１実施形態のＤＶＤ機器の静電対策構造は、図１（ａ）（ｂ）（ｃ）（ｄ）に示すように、金属フロント１がプラスチックフロント２に装着されており、これらのフロントの内部後側にシャーシ３が配置されている。このシャーシ３には図示しないが放電プローブが接続されている。金属フロント１とシャーシ３は導電部材４によって、金属フロント１からシャーシ３に静電気が放電され、更にシャーシ３から放電プローブに放電されるように構成されている。導電部材４は、断面コ字形の下部４ａとこの下部４ａから下向き斜め方向に延設された接触部４ｂとで構成され、この接触部４ｂの略中央部にシャーシ３にビス止めするためのビス挿入孔４ｃが形成されている。更に、接触部４ｂの先端は二股状に分岐され、それぞれの分岐部４ｄ、４ｄの端部に下向きに鋭角部４ｅ、４ｅが形成されている。
【００２１】
導電部材４は、その断面コ字形の下部４ａが金属フロント１とプラスチックフロント２からなるフロントの下部側の後端部に嵌め入れられ、この下部４ａから略ヘ字形に屈曲形成された接触部４ｂが延設されている。接触部４ｂのビス挿入孔４ｃにビス５が挿入されてシャーシ３にこのビス５が螺入されるようになっている。接触部４ｂがビス５でシャーシ３にビス止めされると、接触部４ｂの先端の分岐部４ｄ、４ｄの端部の鋭角部４ｅ、４ｅがシャーシ３に食い込んだ状態で接触される。このとき、導電部材４は弾性を持ってシャーシ３に接続される。
【００２２】
従って、この第１実施形態によれば、導電部材４の接触部４ｂがシャーシ３にビス止めされているから、導電部材４ｂとシャーシ３との接触を確実に行うことができ、この導電部材４が装着された金属フロント１からの静電気をシャーシ３に効率良く放電することができ、このシャーシ３に接続された放電プローブより常に放電することができる。また、導電部材４の接触部４ｂの先端が二股状に分岐されてそれぞれの分岐部４ｂ、４ｂが下向きに鋭角を持って形成されているから、これら鋭角部４ｅ、４ｅがシャーシ３に食い込んで接触し、金属フロント１からの静電気をシャーシ３により一層確実に放電することができる。従って、静電気が基板に飛んでこの基板を破壊したり、機器の誤動作を防ぐことができる。
【００２３】
図２は第２実施形態のＤＶＤ機器の静電対策構造を示し、、（ａ）は導電部材をシャーシにビス止めする前の状態を示す部分縦断面図、（ｂ）は導電部材をシャーシにビス止めした状態を示す部分縦断面図、（ｃ）は導電部材を下側から見た状態の斜視図である。尚、上記第１実施形態と同一部材、同一箇所には同一符号を付してその説明を省略する。
【００２４】
この第２実施形態のＤＶＤ機器の静電対策構造は、図２（ａ）（ｂ）（ｃ）に示すように、導電部材４は、その断面コ字形の下部４ａが金属フロント１とプラスチックフロント２からなるフロントの下部側の後部に嵌め入れられ、接触部４ｂのビス挿入孔４ｃにビス５が挿入されてシャーシ３にこのビス５が螺入されるようになっている。接触部４ｂは略ヘ字形に屈曲された平板状に形成されている。
【００２５】
従って、この第２実施形態によれば、導電部材４の接触部４ｂがシャーシ３にビス止めされているから、導電部材４とシャーシ３との接触を平面接触により確実に行うことができ、この導電部材４が装着された金属フロント１からの静電気をシャーシ３に効率良く放電することができ、このシャーシ３に接続された放電プローブ（図示略）により常に放電することができる。従って、静電気が基板に飛んでこの基板を破壊したり、機器の誤動作を防ぐことができる。
【００２６】
図３は第３実施形態のＤＶＤ機器の静電対策構造における導電部材を示し、（ａ）は導電部材を下側から見た斜視図、（ｂ）は（ａ）の状態の導電部材の平面図である。
【００２７】
この第３実施形態のＤＶＤ機器の静電対策構造は、図３（ａ）（ｂ）に示すように、導電部材４には、断面コ字形の下部４ａとこの下部４ａから下向き斜め方向に延設された接触部４ｂとで構成され、この接触部４ｂの略中央部にシャーシ３にビス止めするためのビス挿入孔４ｃが形成されている。更に、接触部４ｂの先端は二股状に分岐され、それぞれの分岐部４ｄ、４ｄの端部に下向きに鋭角部４ｅ、４ｅが形成されている。更に、接触部４ｂのビス挿入孔４ｃより下部４ａ側寄り部分に略菱形状の溝穴４ｆが幅方向中央部に形成されている。
【００２８】
従って、この第３実施形態によれば、導電部材４の接触部４ｂのビス挿入孔４ｃより下部４ａ側寄り部分に略菱形状の溝穴４ｆが幅方向中央部に形成されているので、接触部４ｂをシャーシ３にビス止めする際に、この接触部４ｂが曲げ易くビス止め作業が行い易い。
【００２９】
図４は第４実施形態のＤＶＤ機器の静電対策構造における導電部材を示し、（ａ）は導電部材を下側から見た斜視図、（ｂ）は（ａ）の状態の導電部材の正面図である。
【００３０】
この第４実施形態のＤＶＤ機器の静電対策構造は、導電部材４には、断面コ字形の下部４ａとこの下部４ａから下向き斜め方向に延設された接触部４ｂとで構成され、この接触部４ｂの略中央部にシャーシ３にビス止めするためのビス挿入孔４ｃが形成されている。更に、接触部４ｂの先端は４片に分岐され、この４片のそれぞれに端部に下向きに鋭角部４ｇが形成されている。
【００３１】
従って、この第４実施形態によれば、導電部材４の接触部４ｂの先端が４片に分岐されてこの４片の端部に下向きに鋭角部４ｇが形成されているから、これら複数の鋭角部４ｇがシャーシ３に食い込んで導電部材４とシャーシ３の接触が強力なものとなり、導電部材４が装着された金属フロント１からの静電気をシャーシ３に確実に放電することができ、このシャーシ３に接続された放電プローブにより常に放電することができる。
【００３２】
尚、導電部材４の接触部４ｂの先端は、二股状や４片に分岐されるものに限らず、例えば、3片以上複数形成してもよいことは勿論である。
【図面の簡単な説明】
【００３３】
【図１】本発明のＤＶＤ機器の静電対策構造を示し、（ａ）は導電部材をシャーシにビス止めする前の状態を示す部分縦断面図、（ｂ）は導電部材をシャーシにビス止めした状態を示す部分縦断面図、（ｃ）は導電部材を下側から見た状態の斜視図、（ｄ）は（ｃ）の状態の導電部材の正面図である。
【図２】第２実施形態のＤＶＤ機器の静電対策構造を示し、、（ａ）は導電部材をシャーシにビス止めする前の状態を示す部分縦断面図、（ｂ）は導電部材をシャーシにビス止めした状態を示す部分縦断面図、（ｃ）は導電部材を下側から見た状態の斜視図である。
【図３】第３実施形態のＤＶＤ機器の静電対策構造における導電部材を示し、（ａ）は導電部材を下側から見た斜視図、（ｂ）は（ａ）の状態の導電部材の平面図である。
【図４】第４実施形態のＤＶＤ機器の静電対策構造における導電部材を示し、（ａ）は導電部材を下側から見た斜視図、（ｂ）は（ａ）の状態の導電部材の正面図である。
【図５】従来のＤＶＤ機器の静電対策構造を示し、（ａ）はその縦断面図、（ｂ）はその金属片の下側から見た斜視図である。
【図６】従来の電子機器の静電対策構造を示す縦断面図である。
【図７】従来の記録媒体再生装置の分解斜視図である。
【図８】同装置の導電部材の正面図である。
【図９】従来のディスクドライブサブシステムの部分縦断面図である。
【図１０】従来の電気装置のシャーシ及びキャビネットの縦断面図である。
【図１１】同装置の部分拡大斜視図である。
【符号の説明】
【００３４】
１      金属フロント
２      プラスチックフロント
３      シャーシ
４      導電部材
４ａ    断面コ字形の下部
４ｂ    接触部
４ｃ    ビス挿入孔
４ｄ    分岐部
４ｅ    鋭角部
４ｆ    略菱形状の溝穴
４ｇ    鋭角部
５      ビス
【図２】
2007004943.tif 000003
【図５】
2007004943.tif 000004
【図１】
2007004943.tif 000005
【図３】
2007004943.tif 000006
【図４】
2007004943.tif 000007
【図６】
2007004943.tif 000008
【図７】
2007004943.tif 000009
【図８】
2007004943.tif 000010
【図９】
2007004943.tif 000011
【図１０】
2007004943.tif 000012
【図１１】
2007004943.tif 000013